(57)【特許請求の範囲】
【請求項１】
上流側が斜め上方に向くように配置された電動送風機を収納する電動送風機室と該電動送風機室の上流に隣接して設けられた集塵室と該集塵室下方に設けられ底面に吸込口前部に前記集塵室と連通する吸気口を形成し、内部には回転ブラシを収納するブラシ収納室とを有する吸込具本体と、前記吸込具本体の後部に回動可能に設けられた把持パイプと、前記吸込具本体の後部で、かつ前記把持パイプの取付け位置下方に設けられた電池と、前記吸込具本体の底面であって、かつ前記電池の両側部に設けられた走行用の車輪とを備えたことを特徴とする電気掃除機。
【請求項２】
上流側が斜め上方に向くように配置された電動送風機と該電動送風機の上流に隣接して設けられた集塵室と該集塵室下方に設けられ底面に吸込口が形成され内部には清掃体が収納される収納部とを有する吸込具本体と、前記吸込具本体の後部に回動可能に設けられた把持パイプと、前記吸込具本体の後部で、かつ前記把持パイプの取付け位置下方に設けられた電池と、前記吸込具本体の底面であって、かつ前記電池の両側部に設けられた走行用の車輪とを備え、前記電動送風機の軸線と同一線上に、前記集塵室、前記吸込口、前記把持パイプの取付け部、前記電池の重心を配置したことを特徴とする電気掃除機。
【請求項３】
上流側が斜め上方に向くように配置された電動送風機と該電動送風機の上流に隣接して設けられた集塵室と該集塵室下方に設けられ底面に吸込口が形成され内部には清掃体が収納される収納部とを有する吸込具本体と、前記吸込具本体の後部に回動可能に設けられた把持パイプと、前記吸込具本体の後部で、かつ前記把持パイプの取付け位置下方に設けられた電池と、前記吸込具本体の底面であって、かつ前記電池の両側部に設けられた走行用の車輪とを備え、前記把持パイプは前記吸込具本体に対して上下方向に回動可能な回動軸と該回動軸に摺動可能な摺動部を設け、前記吸込具本体の把持パイプ取付け部近傍に前記摺動部と係合する係合部を設け、前記把持パイプを倒立させた時に前記係合部と前記摺動部とが係合保持されることを特徴とする電気掃除機。
【発明の詳細な説明】
【０００１】
【発明の属する技術分野】
この発明は、掃除機本体と吸込口が一体的に形成され、電池を電源として使用する電気掃除機に関するものである。
【０００２】
【従来の技術】
従来から電動送風機室、集塵室及び吸込口を一体的に形成し、内部に電池を有するハンディタイプの電気掃除機があった。これらは一般的に掃除機本体の後部に電池、電動送風機を配設し、電動送風機の上流に集塵室を形成し、集塵室の上流には清掃面と接触する吸込口を形成し、集塵室から吸込口までは先細り形状で構成されていた。また、掃除機本体の後端上部に一体的に形成された把持部を握って、清掃範囲の比較的狭い場所を清掃するものであった。
【０００３】
【発明が解決しようとする課題】
しかしながら、従来の電動送風機の軸線は掃除機本体の底面に対して平行に配置されており、さらに電動送風機の上流側に先細りの集塵室が形成され、集塵室の先端部に吸込口が形成されているので、前後方向に対して細長く、コンパクトな構成ではなかった。
【０００４】
この発明は上記のような課題を解決するためになされたもので、電動送風機、集塵室、吸込口を把持パイプ側に配置して、コンパクトな構成にし、移動方向に対して円滑な操作ができるようにするものである。
【０００５】
【課題を解決するための手段】
この発明に係る電気掃除機は、上流側が斜め上方に向くように配置された電動送風機を収納する電動送風機室と該電動送風機室の上流に隣接して設けられた集塵室と該集塵室下方に設けられ底面に吸込口前部に前記集塵室と連通する吸気口を形成し、内部には回転ブラシを収納するブラシ収納室とを有する吸込具本体と、前記吸込具本体の後部に回動可能に設けられた把持パイプと、前記吸込具本体の後部で、かつ前記把持パイプの取付け位置下方に設けられた電池と、前記吸込具本体の底面であって、かつ前記電池の両側部に設けられた走行用の車輪とを備えたものである。
【０００６】
また、上流側が斜め上方に向くように配置された電動送風機と該電動送風機の上流に隣接して設けられた集塵室と該集塵室下方に設けられ底面に吸込口が形成され内部には清掃体が収納される収納部とを有する吸込具本体と、前記吸込具本体の後部に回動可能に設けられた把持パイプと、前記吸込具本体の後部で、かつ前記把持パイプの取付け位置下方に設けられた電池と、前記吸込具本体の底面であって、かつ前記電池の両側部に設けられた走行用の車輪とを備え、前記電動送風機の軸線と同一線上に、前記集塵室、前記吸込口、前記把持パイプの取付け部、前記電池の重心を配置したものである。
【０００７】
また、上流側が斜め上方に向くように配置された電動送風機と該電動送風機の上流に隣接して設けられた集塵室と該集塵室下方に設けられ底面に吸込口が形成され内部には清掃体が収納される収納部とを有する吸込具本体と、前記吸込具本体の後部に回動可能に設けられた把持パイプと、前記吸込具本体の後部で、かつ前記把持パイプの取付け位置下方に設けられた電池と、前記吸込具本体の底面であって、かつ前記電池の両側部に設けられた走行用の車輪とを備え、前記把持パイプは前記吸込具本体に対して上下方向に回動可能な回動軸と該回動軸に摺動可能な摺動部を設け、前記吸込具本体の把持パイプ取付け部近傍に前記摺動部と係合する係合部を設け、前記把持パイプを倒立させた時に前記係合部と前記摺動部とが係合保持されるものである。
【０００８】
【発明の実施の形態】
実施の形態１．
図１はこの発明の実施の形態１を示す電気掃除機の斜視図、図２は吸込具本体を示す斜視図、図３は吸込具本体の縦断面図、図４は吸込具本体の要部断面図、図５は吸込具本体の内部を示す説明図、図６は吸込具本体を示す説明図、図７は吸込具本体の分解図、図８は把持パイプの可動部を示す拡大図、図９は可動部を倒立させて固定した状態を示す拡大図である。図において、１は上ケース２及び下ケース３からなる吸込具本体で、電動送風機室４と集塵室５を設けた掃除機本体６と集塵室５下方に配設され回転ブラシ７を回転可能に収納し底面には吸込口８が形成されたブラシ収納室９とを一体的に形成して構成されている。電動送風機室４は上流側に形成された連通口４ａを介して集塵室５と連通している。吸込具本体１周面にはバンパーを取付けてもよい。
【０００９】
１０は吸込具本体１の後部に取付けられた把持パイプで、詳細は後述するが、上下方向に回動可能及び左右方向に摺動可能に取付けられている。１１は吸込具本体１の上ケース２に着脱可能に取り付けられた集塵室５を覆う集塵蓋で、集塵蓋１１を取付けることにより集塵室５が形成される。また、集塵蓋１１と上ケース２とは例えばインロー嵌合されており、吸込具本体１前方が壁等に衝突した場合、集塵蓋１１が容易に脱落することを防止する。
【００１０】
１２は電動送風機室３に内蔵された電動送風機で、図３に示すとおり、上流面１２ａが斜め上方を向くように配置されている。１３は集塵蓋１１の電動送風機１２側、連通口４ａ上流に着脱可能に装着されているフィルターで、吸引された塵埃が電動送風機室４へ侵入することを防いでいる。集塵室５内に塵埃が溜まった場合は、集塵蓋１１を上ケース２から外し、フィルター１３を取り外して、塵埃を除去することができる。１４は吸込具本体１の後方に設けられた電池で、例えば鉛電池等の蓄電電池であり、電動送風機１２、後述する電動機を駆動させる。また、Ｘは電池１４の重心を示すものである。１５は吸込具本体１の下ケース３後方で、かつ電池１３の両側部に回動可能に設けられた後車輪で、後車輪１５間の中心と電池１３の重心Ｘが同一となるよるように配置されている。１６は吸込具本体１の下ケース３前端部両側に設けられた前車輪である。集塵室５、ブラシ収納室９、把持パイプ１０、電池１３の重心Ｘは電動送風機１２の軸線に対して、上方から見て同一線上で、かつ左右対称に配置されている。１７は電動機、１８は電動機１７の駆動を回転ブラシ７の回転軸７ａに伝達するベルトである。１９は吸込具本体１の上面に設けられた電源スイッチで、電源スイッチ１９がＯＮ状態になると、電動送風機１２、電動機１７の駆動が開始される。
【００１１】
２０はブラシ収納室９の前部に形成された吸気口、２１は集塵蓋１１の側壁に形成された塵埃口で、吸気口２０と塵埃口２１は連通し、吸込み風路２２を形成している。図３、図４、図５に示すとおり、吸込み風路２２は吸込口８、吸気口２０、ブラシ収納室９の上部を通り集塵室５の側部より集塵室５内に入る風路を示している。２３は集塵蓋１１の塵埃口２１に対向して形成されたガイドで、侵入した塵埃が塵埃口２１から逆流することを防いでいる。また、塵埃口２１から吸引された空気はガイド２３により上方へ導かれ、集塵室５内で旋回し、例えば集塵蓋１１の表面に付着した塵埃を引き離す作用がある。また、フィルター１３の目詰まりを防止する働きもあり、吸引力の低下を防ぐことが可能となる。
２４はブラシ収納室９の後部に形成された循環口で、電動送風機１２を通過した空気は電動送風機１２の側部を通って循環口２４からブラシ収納室９内へ排出される。２５は電動送風機１２を介して循環口２４までの風路を示す排気風路である。電動機１７は排気風路２５内に配置されており、通過する排気により冷却される。
【００１２】
２６は上述した把持パイプ１０の可動部で、回動軸２７と回動軸２７に摺動可能に設けられた摺動部２８により形成されている。また、可動部２６は把持パイプ１０に着脱可能に設けられ、必要に応じて可動部２６を握って掃除機本体１を移動させるようにしてもよい。２９は吸込具本体１下ケース３の電池１４上部付近に設けられた把持パイプ１０の取り付け部である保持部で、把持パイプ１０の回動軸２７を上下方向に回動可能に保持する。３０は上ケース２に形成されたガイド口で、上ケース２と下ケース３を結合させたときに保持部２９が挿入される。３１は摺動部２８に一体的に形成された突起部材で、先端部には断面コ字状の突起３２が形成されている。３３は下ケース３、保持部２９下方にネジ等で固定させて設けられた板バネで、図８、図９に示すように、可動部２６を上方に倒立させた状態で突起３２と嵌合する位置に係合突部３４が形成されている。また、３５は吸込口８の後方に一端が略清掃面まで垂下した軟質材より形成されたシール部材である。
【００１３】
次に動作について説明する。
電源スイッチ１９をＯＮに入れると、電動送風機１２、電動機１７が駆動し回転ブラシ７も回転を開始する。吸込口８から吸引された空気はブラシ収納室９の吸気口２０を通って、吸込み風路２２により、塵埃侵入口２１から集塵室５内に吸引される。塵埃を含んだ空気はフィルター１３を通過することで塵埃を取り除き、電動送風機室４内に入る。そして、排気風路２５により電動送風機１２の側部から循環口２４を通ってブラシ収納室９内へ排出される。そして、再び吸込口８からの空気とともに吸気口２０へ循環している。
【００１４】
把持パイプ１０は吸込具本体１に上下方向に回動可能及び左右方向に摺動可能に取り付けられているが、例えば把持パイプ１０を立てた状態で保持する場合は可動部２６の突起部材３１の突起３２が板バネ３３の係合突起３４と係合するまで、把持パイプ１０を上方へ起こす。突起３２と係合突起３４が係合すると把持パイプ１０は上下及び左右方向への回動が規制される。突起３２と係合突起３４により把持パイプ１０は吸込具本体１に固定されて収納時、不使用時に把持パイプ１０が倒れてしまうことを防止でき、安定した状態で保管できる。
【００１５】
実施の形態１によれば、電動送風機１２を斜め上方に向けて設置したので、電動送風機１２の上流側に隣接して設けられた集塵室５の下部に空間が形成される。したがって、その空間を利用して吸込口８を有するブラシ収納室９を配置することができ、装置本体を小型化することができる。また、把持パイプ１０の保持部２９を電池１４の重心Ｘ上方に設けるとともに電動送風機１２を保持部２９側に配置したので、把持パイプ１０を操作するときの安定性が向上する。
【００１６】
さらに、吸込具本体１は電動送風機１２の軸線と同一線上に集塵室５、吸込口８、把持パイプ１０、電池１４の重心Ｘを配置し、かつ前車輪１６間の中心と、後車輪１５間の中心を結ぶ線を電動送風機１２の軸線と同一線上に配置されるように設けたので、吸込具本体１を持ち上げたときのバランスがよく、また安定した走行性を得ることができる。
【００１７】
また、可動部２６に形成した突起３２と下ケース３に形成した係合突起３４とを係合させることで、把持パイプ１０が掃除機本体１に保持されるので、安定した状態で収納することができる。また、把持パイプ１０と掃除機本体１との取付け位置を電動送風機１２の軸線と同一線上に設けたので、掃除機本体１を移動させるときのバランスがよく、操作性も更に向上する。
【００１８】
実施の形態２．
図１０はこの発明の実施の形態２を示す電気掃除機の縦断面図である。図において、実施の形態１と同一の構成には同じ符号を付し説明を省略する。３６は下ケース３の後面、電動送風機室４の後壁に形成した排気口で、電動送風機室４内に吸引された空気は外部に排出される。実施の形態１では排気空気を循環させた構成について説明したが、実施の形態２は排気を循環させず、電動送風機室４から外部へ直接排出させるようにした。
【００１９】
以上のように本発明は、上流側が斜め上方に向くように配置された電動送風機を収納する電動送風機室と該電動送風機室の上流に隣接して設けられた集塵室と該集塵室下方に設けられ底面に吸込口前部に前記集塵室と連通する吸気口を形成し、内部には回転ブラシを収納するブラシ収納室とを有する吸込具本体と、前記吸込具本体の後部に回動可能に設けられた把持パイプと、前記吸込具本体の後部で、かつ前記把持パイプの取付け位置下方に設けられた電池と、前記吸込具本体の底面であって、かつ前記電池の両側部に設けられた走行用の車輪とを備えたので、電動送風機の上流側に設けた集塵室の下部に形成された空間を利用して吸込口を有する収納室を配置することができ、装置本体を小型にできる。
【００２０】
また、把持パイプの取付け位置を電池の上方に設けたので、把持パイプを操作するときの安定性が向上する。
【００２１】
また、上流側が斜め上方に向くように配置された電動送風機と該電動送風機の上流に隣接して設けられた集塵室と該集塵室下方に設けられ底面に吸込口が形成され内部には清掃体が収納される収納部とを有する吸込具本体と、前記吸込具本体の後部に回動可能に設けられた把持パイプと、前記吸込具本体の後部で、かつ前記把持パイプの取付け位置下方に設けられた電池と、前記吸込具本体の底面であって、かつ前記電池の両側部に設けられた走行用の車輪とを備え、前記電動送風機の軸線と同一線上に、前記集塵室、前記吸込口、前記把持パイプの取付け部、前記電池の重心を配置したので、吸込具本体を持ち上げたときのバランスがよく、また安定した走行性を得ることができる。
【００２２】
さらに、上流側が斜め上方に向くように配置された電動送風機と該電動送風機の上流に隣接して設けられた集塵室と該集塵室下方に設けられ底面に吸込口が形成され内部には清掃体が収納される収納部とを有する吸込具本体と、前記吸込具本体の後部に回動可能に設けられた把持パイプと、前記吸込具本体の後部で、かつ前記把持パイプの取付け位置下方に設けられた電池と、前記吸込具本体の底面であって、かつ前記電池の両側部に設けられた走行用の車輪とを備え、前記把持パイプは前記吸込具本体に対して上下方向に回動可能な回動軸と該回動軸に摺動可能な摺動部を設け、前記吸込具本体の把持パイプ取付け部近傍に前記摺動部と係合する係合部を設け、前記把持パイプを倒立させた時に前記係合部と前記摺動部とが係合保持されるので、安定した状態で収納することができる。
【００２３】
【図面の簡単な説明】
【図１】  この発明の実施の形態１を示す電気掃除機の斜視図である。
【図２】  この発明の実施の形態１を示す吸込具本体の斜視図である。
【図３】  この発明の実施の形態１を示す吸込具本体の縦断面図である。
【図４】  この発明の実施の形態１を示す吸込具本体の要部断面図である。
【図５】  この発明の実施の形態１を示す吸込具本体の内部を示す説明図である。
【図６】  この発明の実施の形態１を示す吸込具本体の集塵室を示す説明図である。
【図７】  この発明の実施の形態１を示す吸込具本体の分解図である。
【図８】  この発明の実施の形態１を示す把持パイプ可動部の拡大図である。
【図９】  この発明の実施の形態１を示す把持パイプ可動部の拡大図である。
【図１０】  この発明の実施の形態２を示す電気掃除機の縦断面図である。
【符号の説明】
１  吸込具本体、２  上ケース、３  下ケース、４  電動送風機室、
５  集塵室、６  掃除機本体、７  回転ブラシ、８  吸込口、
９  ブラシ収納室、１０  把持パイプ、１１  集塵蓋、１２  電動送風機、
１３  フィルター、１４  電池、１５  後車輪、１６  前車輪、１７  電動機、
１８  ベルト、１９  電源スイッチ、２０  吸気口、２１  塵埃口、
２２  吸込み風路、２３  ガイド、２４  循環口、２５  排気風路、
２６  可動部、２７  回動軸、２８  摺動部、２９  保持部、３０  ガイド口、
３１  突起部材、３２  突起、３３  板バネ、３４  係合突起、
３５  シール部材、３６  排気口。
【図１】
0003809597.tif 000002
【図２】
0003809597.tif 000003
【図３】
0003809597.tif 000004
【図４】
0003809597.tif 000005
【図５】
0003809597.tif 000006
【図６】
0003809597.tif 000007
【図７】
0003809597.tif 000008
【図８】
0003809597.tif 000009
【図９】
0003809597.tif 000010
【図１０】
0003809597.tif 000011